(57)【要約】【課題】多数の電力の使用場所があるユーザに対して、少ない労力で最適な料金メニューを提案する。【解決手段】最適料金メニュー提案システム１０は、ユーザの需要実績を使用場所毎に記録したデータベース１４及び支援プログラム２０が格納されたサーバ１１と、端末１２とから構成される。支援プログラム２０は、料金メニューの提案をするユーザの電力の使用場所毎の需要実績をデータベース１４から抽出し、抽出したユーザの電力の使用場所毎の需要実績を料金メニューで定められた料金区分のための時間帯毎の想定使用量に整備し、整備された想定使用量と各料金メニューで定められた各時間帯における単価とに基づき、使用場所毎に各料金メニューを契約した場合における予想電力料金を算出し、その予想電力料金に基づき全ての使用場所についてのそのユーザに最適な料金メニューを一括して提示する。【選択図】図１
2006268733.tif 000002
【特許請求の範囲】
【請求項１】
電力を使用する場所が複数あるユーザに対して、使用場所毎の最適な料金メニューを一括して提案する最適料金メニュー提案システムにおいて、
各ユーザの需要実績を使用場所毎に記録した需要実績データベースと、
ユーザに対して上記料金メニューの提案を支援するソフトウェアプログラムがインストールされたコンピュータとから構成され、
上記ソフトウェアプログラムは、
料金メニューの提案をするユーザの電力の使用場所毎の需要実績を、上記需要実績データベースから抽出する抽出ステップと、
抽出したユーザの電力の使用場所毎の需要実績を、料金メニューで定められた料金区分のための時間帯毎の想定使用量に整備するデータ整備ステップと、
上記データ整備ステップにより整備された想定使用量と各料金メニューで定められた各時間帯における単価とに基づき、使用場所毎に各料金メニューを契約した場合における予想電力料金を算出し、その予想電力料金に基づき全ての使用場所についてのそのユーザに最適な料金メニューを一括して提示する料金メニュー提示ステップと
を行うことを特徴とする最適料金メニュー提案システム。
【請求項２】
上記データ整備ステップでは、
料金メニューで定められた料金区分のための時間帯として、一日の時間帯が、ピーク時間帯（電力需要が一般に最も高くなる時間帯）と、夜間時間帯と、昼間時間帯とに分割されており、
抽出したユーザの電力の使用場所毎の需要実績を、上記時間帯毎に割り振ること
を特徴とする請求項１記載の最適料金メニュー提案システム。
【請求項３】
上記データ整備ステップでは、
料金メニューで定められた料金区分のための時間帯として、一ヶ月の各日が、休日と平日とに分割されており、
抽出したユーザの電力の使用場所毎の需要実績を、上記時間帯毎に割り振ること
を特徴とする請求項１記載の最適料金メニュー提案システム。
【請求項４】
電力を使用する場所が複数あるユーザに対して、使用場所毎の最適な料金メニューを一括して提案するコンピュータ上で実行される最適料金メニュー提案ソフトウェアプログラムにおいて、
料金メニューの提案をするユーザの電力の使用場所毎の需要実績を、各ユーザの需要実績を使用場所毎に記録した需要実績データベースから抽出する抽出ステップと、
抽出したユーザの電力の使用場所毎の需要実績を、料金メニューで定められた料金区分のための時間帯毎の想定使用量に整備するデータ整備ステップと、
上記データ整備ステップにより整備された想定使用量と各料金メニューで定められた各時間帯における単価とに基づき、使用場所毎に各料金メニューを契約した場合における予想電力料金を算出し、その予想電力料金に基づき全ての使用場所についてのそのユーザに最適な料金メニューを一括して提示する料金メニュー提示ステップと
を行うことを特徴とする最適料金メニュー提案ソフトウェアプログラム。
【請求項５】
上記データ整備ステップでは、
料金メニューで定められた料金区分のための時間帯として、一日の時間帯が、ピーク時間帯（電力需要が一般に最も高くなる時間帯）と、夜間時間帯と、昼間時間帯とに分割されており、
抽出したユーザの電力の使用場所毎の需要実績を、上記時間帯毎に割り振ること
を特徴とする請求項４記載の最適料金メニュー提案ソフトウェアプログラム。
【請求項６】
上記データ整備ステップでは、
料金メニューで定められた料金区分のための時間帯として、一ヶ月の各日が、休日と平日とに分割されており、
抽出したユーザの電力の使用場所毎の需要実績を、上記時間帯毎に割り振ること
を特徴とする請求項４記載の最適料金メニュー提案ソフトウェアプログラム。
【発明の詳細な説明】
【技術分野】
【０００１】
本発明は、営業活動の支援を行うための支援システム及びソフトウェアプログラムであり、詳しくは、使用場所毎の電力料金の最適な料金メニューを提案するシステム及びソフトウェアプログラムに関するものである。
【背景技術】
【０００２】
業務用や産業用の電力料金は、時間帯に関わらず常に同一の単価（使用量に対する料金単価）に設定されているのが基本であるが、その他に、各種の料金メニューを設定している。
【０００３】
業務用電力や産業用電力の料金メニューは、夜間帯よりも昼間帯の方を高く設定しており、さらに、ピーク帯（例えば、夏場の１３時から１６時）はより高く設定している。また、休日よりも平日の方を高く設定している。これは、電力負荷を夜間、日曜祭日に移行し、また、電力負荷の変動格差をより小さくして頂くためである。
【０００４】
【特許文献１】特開２００２−２５２９２５号公報
【発明の開示】
【発明が解決しようとする課題】
【０００５】
ところで、電力の自由化に伴い、企業に対して最適な電力料金を提案する業務が拡大している。
【０００６】
企業には、多数の営業所、工場、その他施設が多数の場所にあり、それぞれの電力の使用場所毎に最適な電力の料金メニューを見つけ出す作業は、非常に大きな業務負担となる。
【０００７】
例えば、企業に対して電力の料金メニューの提案を行う場合、従来は、その企業での電力使用場所毎の使用量データに基づき、それぞれの使用場所毎に昼間帯、夜間帯、ピーク帯の使用実績を計算のうえ集計をして、お客様向けに提案書を作成していた。
【０００８】
しかしながら、このような方法では、１００箇所程度の使用場所を有する企業に対する提案書を作成するのに、数日程度時間が必要であった。
【０００９】
本発明は、以上のような課題を解決し、多数の電力の使用場所があるユーザに対する電力料金の試算作業を、非常に少ない労力で行い、そのユーザに対して最適な料金メニューを提案することを目的とする。
【課題を解決するための手段】
【００１０】
本発明に係る最適料金メニュー提案システムは、電力を使用する場所が複数あるユーザに対して、使用場所毎の最適な料金メニューを一括して提案する最適料金メニュー提案システムにおいて、各ユーザの需要実績を使用場所毎に記録した需要実績データベースと、ユーザに対して上記料金メニューの提案を支援するソフトウェアプログラムがインストールされたコンピュータとから構成され、上記ソフトウェアプログラムは、料金メニューの提案をするユーザの電力の使用場所毎の需要実績を、上記需要実績データベースから抽出する抽出ステップと、抽出したユーザの電力の使用場所毎の需要実績を、料金メニューで定められた料金区分のための時間帯毎の想定使用量に整備するデータ整備ステップと、上記データ整備ステップにより整備された想定使用量と各料金メニューで定められた各時間帯における単価とに基づき、使用場所毎に各料金メニューを契約した場合における予想電力料金を算出し、その予想電力料金に基づき全ての使用場所についてのそのユーザに最適な料金メニューを一括して提示する料金メニュー提示ステップとを行う。
【００１１】
本発明に係る最適料金メニュー提案ソフトウェアプログラムは、電力を使用する場所が複数あるユーザに対して、使用場所毎の最適な料金メニューを一括して提案するコンピュータ上で実行される最適料金メニュー提案ソフトウェアプログラムにおいて、料金メニューの提案をするユーザの電力の使用場所毎の需要実績を、各ユーザの需要実績を使用場所毎に記録した需要実績データベースから抽出する抽出ステップと、抽出したユーザの電力の使用場所毎の需要実績を、料金メニューで定められた料金区分のための時間帯毎の想定使用量に整備するデータ整備ステップと、上記データ整備ステップにより整備された想定使用量と各料金メニューで定められた各時間帯における単価とに基づき、使用場所毎に各料金メニューを契約した場合における予想電力料金を算出し、その予想電力料金に基づき全ての使用場所についてのそのユーザに最適な料金メニューを一括して提示する料金メニュー提示ステップとを行う。
【発明の効果】
【００１２】
本発明に係る最適料金メニュー提案システム及びプログラムによれば、多数の電力の使用場所があるユーザに対する電力料金の試算作業を、非常に少ない労力で行い、そのユーザに対して最適な料金メニューを提案することができる。
【発明を実施するための最良の形態】
【００１３】
以下、最適料金メニュー提案システムについて説明をする。
【００１４】
本発明が適用された最適料金メニュー提案システムは、電力の使用場所が多数あるユーザ（例えば企業等）の電力料金の試算を行い、最適な料金メニューを提案する作業を支援する支援システムである。
【００１５】
すなわち、最適料金メニュー提案システム１０は、予め設定されている複数の料金メニューのうち、いずれの料金メニューがその企業に対して最適であるかを各電力使用場所毎の過去の電力使用実績に基づき試算し、その企業に料金メニューを提案する作業を支援するシステムである。
【００１６】
なお、料金メニューとしては、例えば、次のようなものが設定できる。時間帯に関わらず単価（使用量に対する料金単価）が同一の料金メニュー、夜間,日曜祭日に負荷を移行するほど全体の料金が安くなる季節別時間帯別の料金メニュー、平日から休日に負荷を移行するほど全体の料金が安くなる平日休日別の料金メニューが設定できる。さらに、それぞれ、電力の使い方の格差を小さくするほど全体の料金が安くなる高負荷率型の料金メニューも設定できる。
【００１７】
最適料金メニュー提案システム１０は、図１に示すように、電力会社等（特定規模電気事業者（ＰＰＳ）等も含む。）が保有するサーバ１１と、営業担当者が所有するコンピュータ端末１２とから構成される。サーバ１１とコンピュータ端末１２とはネットワーク１３により接続される。
【００１８】
サーバ１１には、全ユーザの使用場所毎の過去の電力使用実績を記録したデータベース１４が格納されている。データベース１４には、各ユーザの使用場所毎に、ユーザ名称、月毎の使用電力量、使用可能な最大電力（契約電力）、有効電力量、電気料金等が格納されている。なお、有効電力量とは、力率を算出するために計量している所定の時間帯（午前８時から午後１０まで）の使用電力量である。
【００１９】
コンピュータ端末１２は、営業担当者が使用するコンピュータである。
【００２０】
サーバ１１内には、最適料金メニュー提案システム１０を利用するためのソフトウェアプログラムがインストールされており、営業担当者がコンピュータ端末１２を通じて、当該プログラムを実行することにより、最適料金メニュー提案システム１０が動作する。このソフトウェアプログラムのことを、以下、支援プログラム２０という。
【００２１】
つぎに、支援プログラム２０の実行内容を説明する。
【００２２】
図２は、支援プログラム２０の実行処理手順を示すフローチャートである。
【００２３】
支援プログラム２０は、図２に示すように、諸元抽出処理（ステップＳ１）、諸元整備処理（ステップＳ２）、試算処理/一覧作成処理（ステップＳ３）、料金メニュー選択処理（ステップＳ４）、提案書作成処理（ステップＳ５）を順番に行う。
【００２４】
（諸元抽出処理Ｓ１）
支援プログラム２０は、実行が開始されると、まず、諸元抽出処理Ｓ１を行う。
【００２５】
諸元抽出処理Ｓ１では、まず、サーバ１１内で、試算を行うユーザが有する試算対象となる使用場所の電力使用実績を、データベース１４から抽出する。
【００２６】
例えば、営業担当者は、図３に示すように、入力ボックス２１にユーザ名（お客様名）を入力して検索ボタン２２を押す。すると、支援プログラム２０は、データベース１４の全レコードのユーザ名称（お客様名称）のフィールドの記述をあいまい検索し、あいまい検索で一致したレコードを全て抽出する。抽出が完了すると、支援プログラム２０は、図４に示すように、そのユーザの、各電力使用場所における電力需要実績（電気料金、電力量等）を表示する。なお、抽出する際に、抽出期間（例えば、本年度、昨年度、最近一年間）を設定しておくことにより、設定した期間中のデータだけが抽出される。
【００２７】
諸元抽出処理Ｓ１では、抽出が完了すると、抽出したデータ（レコード）及び支援プログラム２０のうちステップＳ２からＳ５までに対応するプログラムを、サーバ１１からダウンロードする。
【００２８】
例えば、営業担当者は、図４に示すような表が表示された状態で、ダウンロードボタン２３を押す。すると、支援プログラム２０は、サーバ１１から抽出したレコード（つまり、そのユーザの電力使用場所）毎に、ユーザ名称、月毎の使用電力量、契約電力、有効電力量、使用料金等をダウンロードし、コンピュータ端末１２に保存する。
【００２９】
以上で諸元抽出処理Ｓ１が終わる。
【００３０】
諸元抽出処理Ｓ１が終わると、支援プログラム２０は、コンピュータ端末１２上で、続く諸元整備処理Ｓ２を実行する。
【００３１】
（諸元整備処理Ｓ２）
諸元整備処理Ｓ２では、ダウンロードした各データを、料金メニューの試算を行うために必要なデータ形式に変更する処理を行う。
【００３２】
具体的には、諸元整備処理Ｓ２では、ダウンロードした需要実績から、月あたりの夜間時間帯の想定使用量、月あたりのピーク時間帯（電力需要が一般に最も高くなる時間帯、例えば、夏場の１３時〜１６時）の想定使用量、月あたりの昼間時間帯（夜間、ピーク時を除く時間帯）の想定使用量を求める。同時に、諸元整備処理Ｓ２では、ダウンロードした月毎の全体の需要実績から、月あたりの平日の想定使用量、休日（日曜及び祝日等）の想定使用量を求める。
【００３３】
このようなデータ形式に変更するのは、これらの時間区分で電力単価を変えることにより、各種の料金メニューを設定しているためである。すなわち、諸元整備処理Ｓ２では、月ごとの全体の需要実績から、料金メニューで定めた単価区分の時間帯毎の想定使用量を求める。
【００３４】
諸元整備処理Ｓ２での支援プログラム２０の具体的な処理例は次の通りである。
【００３５】
まず、支援プログラム２０は、ダウンロードした各データを、図５に示すような、列方向に使用場所が並び、行方向に需要実績（“ユーザ名称（お客様名称）”,“月毎の使用電力量” 等）が並んだ表形式のワークシートを表示し、営業担当者に諸所の修正処理を行わせる。例えば、営業担当者は、ダウンロードした各データに不必要な使用場所があれば、ワークシート上から対応する行（一つの使用場所のデータ全て）を削除する。また、使用場所があれば、ワークシートに行を追加して、その使用場所の実績値を直接入力する。
【００３６】
続いて、支援プログラム２０は、月の全体の需要実績から、夜間時間帯、ピーク時間帯、昼間時間帯、平日及び休日の想定使用量を求めるための、補正用の乗率を入力させる。具体的には、支援プログラム２０は、図６に示すように、休日等の稼動率（平日の稼働率を１００％とした場合の休日の稼働率）を入力するための入力ボックス２４、ピーク時間帯の比率（夏季の昼間時間帯におけるピーク時間帯の比率）を入力するための入力ボックス２５、夜間時間帯の稼働率を入力するための入力ボックス２６を表示し、それらのボックスにそれぞれ補正用の乗率を入力させる。
【００３７】
続いて、支援プログラム２０は、入力された補正用の乗率をワークシートの各ボックス内の値に一括乗算して、各使用場所における夜間時間帯、ピーク時間帯、昼間時間帯、平日及び休日の想定使用量を求め、再度、図７に示すような表形式のワークシートとして表示する。
【００３８】
続いて、支援プログラム２０は、各時間帯における使用量を、営業担当者に修正処理させる。例えば、営業担当者は、ワークシート上に変更したい値があれば、その使用場所（行）の各値を、図７に示すワークシート上で直接修正する。
【００３９】
以上で諸元整備処理Ｓ２が終わる。
【００４０】
諸元整備処理Ｓ２が終わると、支援プログラム２０は、続く試算処理/一覧作成処理Ｓ３を実行する。
【００４１】
（試算処理/一覧作成処理Ｓ３）
試算処理/一覧作成処理Ｓ３では、各料金メニューを選択した場合に支払う電力料金を試算し、それを表示する。
【００４２】
具体的には、支援プログラム２０は、諸元整備処理Ｓ２で求めた表形式のデータに対して、各料金メニューで規定されている電力単価を乗算する処理を、全ての使用場所について行う。そして、支援プログラム２０は、その演算結果を、図８に示すような表形式のワークシートに表示する。なお、その際に、使用場所毎に、最もメリットのある料金メニューをハッチングして表示する。
【００４３】
試算処理/一覧作成処理Ｓ３が終わると、支援プログラム２０は、続く料金メニュー選択処理Ｓ４を実行する。
【００４４】
（料金メニュー選択処理Ｓ４）
料金メニュー選択処理Ｓ４では、使用場所（行）毎に、１つの料金メニューを選択する処理を行う。
【００４５】
例えば、支援プログラム２０は、一括選択ボタンを表示しておき営業担当者にそのボタンを押させることにより最も試算結果が安くなる料金メニューを一括選択する。また、支援プログラム２０は、試算処理/一覧作成処理Ｓ３で表示された結果を参照させ、料金メニューをプルダウンメニュー等により表示して、使用場所（行）毎にそれぞれ個別に料金メニューを選択させてもよい。また、一括選択した後に使用場所（行）毎にそれぞれ個別に料金メニューを変更させてもよい。
【００４６】
料金メニュー選択処理Ｓ４が終わると、支援プログラム２０は、続く提案書作成処理Ｓ５を実行する。
【００４７】
（提案書作成処理Ｓ５）
提案書作成処理Ｓ５では、料金メニュー選択処理Ｓ４で選択した結果を一覧で表示した紙状の提案書を作成する。
【００４８】
例えば、提案書には、選択した料金メニューを各電力使用場所におけるおすすめ料金メニューとして記載したり、料金の低減率を記載したりする。
【００４９】
以上のように最適料金メニュー提案システム１０では、複数の電力使用場所を有する企業等に対して一括して、最適な料金メニューを提案することができる。このため、営業担当者等の作業負担を軽減することができ、また、ユーザにとって最適な料金メニューを提案できる。
【図面の簡単な説明】
【００５０】
【図１】本発明が適用された最適料金メニュー提案システムの構成図である。
【図２】支援プログラムの実行処理の手順を示したフローチャートである。
【図３】ユーザ名を入力するときのコンピュータ画面を示す図である。
【図４】電力需要実績を表示したときのコンピュータ画面を示す図である。
【図５】ダウンロードした需要実績を表形式のワークシートで表示したときのコンピュータ画面を示す図である。
【図６】休日稼働率、ピーク率、夜間率を入力するときのコンピュータ画面を示す図である。
【図７】夜間時間帯、ピーク時間帯、昼間時間帯、平日及び休日の想定使用量を表形式のワークシートで表示したときのコンピュータ画面を示す図である。
【図８】各料金メニューでの試算結果を表示したときのコンピュータ画面を示す図である。
【符号の説明】
【００５１】
１０  最適料金メニュー提案システム、１１  サーバ、１２  コンピュータ端末
【図１】
2006268733.tif 000003
【図２】
2006268733.tif 000004
【図３】
2006268733.tif 000005
【図４】
2006268733.tif 000006
【図５】
2006268733.tif 000007
【図６】
2006268733.tif 000008
【図７】
2006268733.tif 000009
【図８】
2006268733.tif 000010